(57)【要約】【課題】設備台帳の作成作業を簡素化すること。【解決手段】クライアント端末１０は、ＣＡＤシステムによって生成された３次元の図面上で当該図面に含まれる設備図形の選択操作を受け付けた場合に、ＣＡＤシステムによって登録された設備図形に関する設備名称と、図面内での位置情報または設備図形を３次元モデルとして描画するための描画情報とを取得する。そして、クライアント端末１０は、設備管理に用いる所定の項目を含む設備台帳３２に、設備名称と、位置情報または描画情報とを登録する。【選択図】図２
2015032070.tif 000002
【特許請求の範囲】
【請求項１】
コンピュータに、
設計を支援する設計支援プログラムによって生成された３次元の図面上で当該図面に含まれる設備図形の選択操作を受け付けた場合に、前記設計支援プログラムによって登録された前記設備図形に関する設備名称と、前記図面内での位置情報または前記設備図形を３次元モデルとして描画するための描画情報とを取得し、
設備管理に用いる所定の項目を含む設備台帳に、前記設備名称と、前記位置情報または前記描画情報とを登録する
処理を実行させることを特徴とする設備台帳作成支援プログラム。
【請求項２】
前記設備台帳に登録する処理として、
前記選択操作が移動を伴うドラッグ操作であり、かつ前記ドラッグ操作に対応するドロップ操作が行われた位置が前記設備台帳作成支援プログラムによって生成されたウィンドウ内である場合に、前記設備名称と、前記位置情報または前記描画情報との登録を実行することを特徴とする請求項１に記載の設備台帳作成支援プログラム。
【請求項３】
前記設備台帳は、前記設計支援プログラムが設備図形の表示に用いる位置情報または描画情報と、前記設備台帳作成支援プログラムが前記設備の識別に用いる設備識別情報との対応関係が定義された連携情報を含み、
前記設備台帳に登録する処理として、
前記位置情報または前記描画情報が取得された場合に前記設備識別情報を採番し、当該設備識別情報に対応付けて前記取得された前記位置情報または前記描画情報を前記連携情報に登録することを特徴とする請求項１または２に記載の設備台帳作成支援プログラム。
【請求項４】
前記設備台帳は、前記設備識別情報と、点検の計画内容または点検の実施内容とが対応付けられた点検情報を含み、
前記コンピュータに、
前記３次元の図面上で前記設備図形の選択操作を受け付けた場合に、前記連携情報から当該選択操作を受け付けた設備図形の位置情報または描画情報に対応付けられた設備識別情報を検索し、
前記点検情報のうち前記検索された設備識別情報に対応付けられた点検の計画内容または点検の実施内容を前記設計支援プログラムによって生成されたウィンドウに表示させる処理をさらに実行させることを特徴とする請求項３に記載の設備台帳作成支援プログラム。
【請求項５】
前記設備台帳は、前記設備識別情報と、設備の属性情報とが対応付けられた設備情報を含み、
前記コンピュータに、
前記３次元の図面上で前記設備図形の選択操作を受け付けた場合に、前記連携情報から当該選択操作を受け付けた設備図形の位置情報または描画情報に対応付けられた設備識別情報を検索し、
前記設備情報のうち前記検索された設備識別情報に対応付けられた設備の属性情報を前記設備台帳作成支援プログラムによって生成されたウィンドウに表示させる処理をさらに実行させることを特徴とする請求項３に記載の設備台帳作成支援プログラム。
【請求項６】
前記コンピュータに、
前記設備台帳作成支援プログラムによって生成されたウィンドウ内で設備の選択操作を受け付けた場合に、前記連携情報から当該選択操作を受け付けた設備の設備識別情報に対応付けられた位置情報または描画情報を検索し、
前記検索された位置情報または描画情報に対応する設備図形を前記設計支援プログラムによって生成されたウィンドウ内で強調表示させることを特徴とする請求項３に記載の設備台帳作成支援プログラム。
【請求項７】
コンピュータが、
設計を支援する設計支援プログラムによって生成された３次元の図面上で当該図面に含まれる設備図形の選択操作を受け付けた場合に、前記設計支援プログラムによって登録された前記設備図形に関する設備名称と、前記図面内での位置情報または前記設備図形を３次元モデルとして描画するための描画情報とを取得し、
設備管理に用いる所定の項目を含む設備台帳に、前記設備名称と、前記位置情報または前記描画情報とを登録する
処理を実行することを特徴とする設備台帳作成支援方法。
【請求項８】
設計を支援する設計支援プログラムによって生成された３次元の図面上で当該図面に含まれる設備図形の選択操作を受け付けた場合に、前記設計支援プログラムによって登録された前記設備図形に関する設備名称と、前記図面内での位置情報または前記設備図形を３次元モデルとして描画するための描画情報とを取得する取得部と、
設備管理に用いる所定の項目を含む設備台帳に、前記設備名称と、前記位置情報または前記描画情報とを登録する登録部と
を有することを特徴とする設備台帳作成支援装置。
【発明の詳細な説明】
【技術分野】
【０００１】
本発明は、設備台帳作成支援プログラム、設備台帳作成支援方法及び設備台帳作成支援装置に関する。
【背景技術】
【０００２】
建物や工業製品の設計を支援するアプリケーションプログラムとして、ＣＡＤ（Computer  Aided  Design）システムやデジタルモックアップ（ＤＭＵ：Digital  Mock−Up）などのソフトウェアが知られている。
【０００３】
上記の設計支援用のアプリケーションは、建物に設置された設備、あるいは設備をメンテナンスする計画及び実施を管理する建物管理システムとの間で連携して処理を行う場合がある。
【０００４】
これら２つのシステム間の連携は、例えば、建物管理システムによって設備台帳が作成される場合になされる。例えば、ＣＡＤシステムは、２次元のＣＡＤ図面上で選択された図形に関する情報をＣＳＶ（Comma  Separated  Values）形式で抽出する。一方、建物管理システムは、ＣＡＤシステムによって抽出されたＣＳＶ形式の情報から設備台帳を作成した上で登録する。このように、ＣＡＤシステムに登録されている情報を設備台帳の作成に用いることによって作業の簡素化を目指す。
【先行技術文献】
【特許文献】
【０００５】
【特許文献１】特開２００４−１３３５３４号公報
【特許文献２】特開２０００−１２３１９８号公報
【特許文献３】特開平０８−２６３５４１号公報
【発明の概要】
【発明が解決しようとする課題】
【０００６】
しかしながら、上記の技術には、以下に説明するように、設備台帳を作成する作業を簡素化するのに自ずから限界がある。
【０００７】
すなわち、上記の２つのシステム間では、各々のシステムを利用するユーザが異なる。例えば、ＣＡＤシステムは、建物を設計する設計者によって利用される一方で、建物管理システムは、建物の保守や維持管理を行うメンテナンス員によって利用される。このため、メンテナンス員は、設計者のように、設計用の図面、例えば平面図や正面図といった図面の見方に熟練しているとは限らない。それゆえ、メンテナンス員は、ＣＡＤシステムによって表示された２次元のＣＡＤ図面の中から目的とする設備の図形を見つけることができず、簡単には目的とする設備の図形を選択することができない。
【０００８】
１つの側面では、本発明は、設備台帳の作成作業を簡素化できる設備台帳作成支援プログラム、設備台帳作成支援方法及び設備台帳作成支援装置を提供することを目的とする。
【課題を解決するための手段】
【０００９】
一態様の設備台帳作成支援プログラムは、コンピュータに、設計を支援する設計支援プログラムによって生成された３次元の図面上で当該図面に含まれる設備図形の選択操作を受け付けた場合に、前記設計支援プログラムによって登録された前記設備図形に関する設備名称と、前記図面内での位置情報または前記設備図形を３次元モデルとして描画するための描画情報とを取得する処理を実行させる。さらに、前記コンピュータに、設備管理に用いる所定の項目を含む設備台帳に、前記設備名称と、前記位置情報または前記描画情報とを登録する処理を実行させる。
【発明の効果】
【００１０】
設備台帳の作成作業を簡素化できる。
【図面の簡単な説明】
【００１１】
【図１】図１は、実施例１に係る建物管理システムの構成を示す図である。
【図２】図２は、実施例１に係るクライアント端末の機能的構成を示すブロック図である。
【図３】図３は、ＣＡＤの図面情報の一例を示す図である。
【図４】図４は、設備情報の一例を示す図である。
【図５】図５は、点検計画情報の一例を示す図である。
【図６】図６は、点検実績情報の一例を示す図である。
【図７】図７は、連携情報の一例を示す図である。
【図８】図８は、表示部に表示される画面例を示す図である。
【図９】図９は、設備台帳の作成支援方法の一例を説明する図である。
【図１０】図１０は、表示部に表示される画面例を示す図である。
【図１１】図１１は、点検情報のポップアップ表示方法の一例を説明する図である。
【図１２】図１２は、表示部に表示される画面例を示す図である。
【図１３】図１３は、設備台帳管理画面の呼び出し表示方法の一例を説明する図である。
【図１４】図１４は、表示部に表示される画面例を示す図である。
【図１５】図１５は、設備図形の強調表示方法の一例を説明する図である。
【図１６】図１６は、実施例１に係る設備台帳作成支援処理の手順を示すフローチャート（１）である。
【図１７】図１７は、実施例１に係る設備台帳作成支援処理の手順を示すフローチャート（２）である。
【図１８】図１８は、実施例１に係る設備台帳作成支援処理の手順を示すフローチャート（３）である。
【図１９】図１９は、実施例１及び実施例２に係る設備台帳作成支援プログラムを実行するコンピュータの一例について説明するための図である。
【発明を実施するための形態】
【００１２】
以下に添付図面を参照して本願に係る設備台帳作成支援プログラム、設備台帳作成支援方法及び設備台帳作成支援装置について説明する。なお、この実施例は開示の技術を限定するものではない。そして、各実施例は、処理内容を矛盾させない範囲で適宜組み合わせることが可能である。
【実施例１】
【００１３】
［システム構成］
図１は、実施例１に係る建物管理システムの構成を示す図である。図１に示す建物管理システム１は、建物等の施設が有する設備、例えば電気、空調、熱源や衛生などの設備に関し、設備の管理を始め、保守及び維持管理から建物で使用する電力や水などのエネルギー及びコストの管理まで建物の総合的な管理を実現するものである。
【００１４】
図１に示すように、建物管理システム１には、クライアント端末１０Ａ〜１０Ｃと、サーバ装置３０とが収容される。なお、図１には、３つのクライアント端末をそれぞれ図示したが、建物管理システム１は任意の数のクライアント端末を収容できる。なお、以下では、クライアント端末１０Ａ〜１０Ｃの各装置を区別なく総称する場合には、「クライアント端末１０」と記載する場合がある。
【００１５】
これらクライアント端末１０及びサーバ装置３０の間は、ネットワーク５を介して相互に通信可能に接続される。かかるネットワーク５には、有線または無線を問わず、インターネット（Internet）を始め、ＬＡＮ（Local  Area  Network）やＶＰＮ（Virtual  Private  Network）などの任意の種類の通信網を採用できる。
【００１６】
クライアント端末１０は、建物の管理に携わるユーザによって使用される情報処理装置である。かかるクライアント端末１０は、一例として、現場で保守及び維持管理を担当するメンテナンス員を始め、建物への投資判断やエネルギー管理などのマネジメント業務を行う管理者等などのユーザに貸与される。
【００１７】
クライアント端末１０の一態様としては、パーソナルコンピュータを採用できる。上記のパーソナルコンピュータなどの据置き型の端末のみならず、各種の携帯端末装置をクライアント端末１０として採用することもできる。例えば、携帯端末装置の一例として、スマートフォン、携帯電話機やＰＨＳ（Personal  Handyphone  System）などの移動体通信端末、さらには、ＰＤＡ（Personal  Digital  Assistants）などのスレート端末などが挙げられる。
【００１８】
クライアント端末１０には、建物の総合管理を実現するアプリケーションプログラム、すなわち「建物管理プログラム」がインストールされる。かかる建物管理プログラムは、建物の総合管理の一環として、建物や工業製品の設計を支援するアプリケーションプログラム、例えばＣＡＤ（Computer  Aided  Design）システムやデジタルモックアップ（ＤＭＵ：Digital  Mock−Up）などとの間で連携する。なお、以下では、ＣＡＤシステムによって後述の表示部１２に表示される画面のことを「ＣＡＤウィンドウ」と記載する場合がある。また、建物管理プログラムによって後述の表示部１２に表示される画面のことを「設備台帳管理画面」と記載する場合がある。
【００１９】
サーバ装置３０は、クライアント端末１０に所定のサービスを提供するコンピュータである。一態様としては、サーバ装置３０は、サーバ装置３０が有する記憶装置をネットワーク５上のクライアント端末１０に利用させるサービスを提供する。例えば、サーバ装置３０は、各クライアント端末１０間で上記の建物管理プログラム及び上記のＣＡＤシステムが生成またはアクセスする情報を共有させるファイルサーバとして機能する。なお、ここでは、クライアント端末１０間のファイル移動及びファイルの整合性の面からファイルサーバを用いる場合を例示したが、各クライアント端末１０で情報を個別に管理させることとしてもかまわない。
【００２０】
［クライアント端末１０の構成］
図２は、実施例１に係るクライアント端末１０の機能的構成を示すブロック図である。図２に示すように、クライアント端末１０は、入力部１１と、表示部１２と、通信Ｉ／Ｆ（interface）部１３と、記憶部１４と、制御部１５とを有する。
【００２１】
なお、クライアント端末１０は、図２に示した機能部以外にも既知のコンピュータが有する各種の機能部を有するものとする。例えば、クライアント端末１０が据置き型のパーソナルコンピュータとして実装される場合には、マイクやスピーカなどの音声デバイスをさらに有することとしてもかまわない。また、クライアント端末１０が携帯端末装置として実装される場合には、移動体通信部やＧＰＳ（Global  Positioning  System）受信機などをさらに有することとしてもかまわない。
【００２２】
入力部１１は、各種の情報に対する指示入力、例えば設備図形の選択操作を受け付ける入力デバイスである。一態様としては、クライアント端末１０が据置き型のパーソナルコンピュータとして実装される場合には、キーボードやマウスなどを採用できる。かかるマウスは、後述の表示部１２と協働することによってポインティングデバイスとして機能する。ここでは、一例として、マウスによってポインティングデバイス機能が実現される場合を説明するが、タッチパッドなどの他の入力デバイスによりポインティングデバイス機能が実現されることとしてもかまわない。他の一態様としては、クライアント端末１０が携帯端末装置として実装される場合には、入力部１１と表示部１２を一体化することによってタッチパネルとして実装することもできる。
【００２３】
表示部１２は、各種の情報、例えばＣＡＤウィンドウや設備台帳管理画面などを表示する表示デバイスである。一態様としては、モニタやディスプレイなどを採用できる。
【００２４】
通信Ｉ／Ｆ部１３は、他の装置、例えばサーバ装置３０との間で通信制御を行うインタフェースである。かかる通信Ｉ／Ｆ部１３の一態様としては、ＬＡＮカードなどのネットワークインタフェースカード（ＮＩＣ：Network  Interface  Card）を採用できる。例えば、通信Ｉ／Ｆ部１３は、サーバ装置３０からＣＡＤシステムや建物管理プログラムによって使用される情報を受信したり、ＣＡＤシステムや建物管理プログラムによって生成または更新された情報をサーバ装置３０へ送信したりする。
【００２５】
記憶部１４は、各種データを記憶する記憶デバイスである。かかる記憶部１４の一態様としては、ＲＡＭ（Random  Access  Memory）、ＲＯＭ（Read  Only  Memory）やフラッシュメモリ等を採用できる。例えば、ＲＯＭやフラッシュメモリには、ＢＩＯＳ（Basic  Input/Output  System）などのブートコードが記憶される。また、ＲＡＭは、制御部１５で実行されるＯＳ（Operating  System）のシステムメモリ、ＣＡＤシステムや建物管理プログラムなどのアプリケーションプログラムのワークエリアとして使用される。なお、ここでは、記憶部１４として主記憶装置を例示したが、ハードディスクや光ディスクなどの補助記憶装置をさらに有することとしてもよい。
【００２６】
記憶部１４には、ＣＡＤシステム及び建物管理プログラムの２つのシステム間で互いが共有する共有ワークエリア１４ａが設定される。例えば、共有ワークエリア１４ａは、ＯＳによって割り当てさせることとしてもよい。また、ＣＡＤシステム及び建物管理プログラムのうち先に起動される方が記憶部１４に存在する空き領域のうち所定のサイズの領域を確保し、そのアドレスを後に起動される方へ通知することとしてもよい。
【００２７】
制御部１５は、各種の処理手順を規定したプログラムや制御データを格納するための内部メモリを有し、これらによって種々の処理を実行する。例えば、制御部１５は、ＣＰＵ（Central  Processing  Unit）やＭＰＵ（Micro  Processing  Unit）などにＯＳ、ＣＡＤシステムや建物管理プログラムを実行させることによって実現できる。また、制御部１５は、ＡＳＩＣ（Application  Specific  Integrated  Circuit）やＦＰＧＡ（Field  Programmable  Gate  Array）などのハードワイヤードロジックによっても実現できる。図２に示すように、制御部１５は、ＣＡＤ実行部１６と、建物管理実行部１７とを有する。
【００２８】
ＣＡＤ実行部１６は、上記のＣＡＤシステムを実行する処理部である。一態様としては、ＣＡＤ実行部１６は、２Ｄ（Dimension）−ＣＡＤシステムと、３Ｄ−ＣＡＤシステムとを実行する。例えば、２Ｄ−ＣＡＤシステムは、サーバ装置３０上に保存されたＣＡＤの図面情報３１に含まれる設備図形に関する２Ｄ−ＣＡＤの位置情報を呼び出し、１つまたは複数の設備図形を２次元の平面、例えば正面、断面や側面などで描画する。これによって、建物もしくは建物の一部を含む２次元のＣＡＤ図面上に１つまたは複数の設備図形が描画された２Ｄ−ＣＡＤウィンドウが生成される。また、３Ｄ−ＣＡＤシステムは、サーバ装置３０上に保存されたＣＡＤの図面情報３１に含まれる設備図形に関する２Ｄ−ＣＡＤの位置情報と３Ｄ−ＣＡＤの描画情報を呼び出し、１つまたは複数の設備図形を３次元の仮想空間上で描画する。これによって、建物もしくは建物の一部を含む３次元のＣＡＤ図面上に１つまたは複数の設備図形が３ＤＣＧ（three-dimensional  computer  graphics）で描画された３Ｄ−ＣＡＤウィンドウが生成される。かかる３Ｄ−ＣＡＤウィンドウでは、設備図形を投影する場合の視点の位置及び方向、いわゆる「ビュー」を任意に変更できる。
【００２９】
これら２Ｄ−ＣＡＤウィンドウ及び３Ｄ−ＣＡＤウィンドウは、１つのウィンドウにまとめて表示することもできるし、各々のウィンドウを独立して表示させることもできる。そして、２次元または３次元のいずれかのウィンドウで編集が行われた場合には、互いの図面情報を更新することによって当該編集を他方のウィンドウの表示に反映させることもできる。
【００３０】
図３は、ＣＡＤの図面情報３１の一例を示す図である。図３には、エアコン、貯湯槽、ヒートポンプなどの設備図形に関する設備名称、２Ｄ−ＣＡＤの位置情報及び３Ｄ−ＣＡＤの描画情報を含むＣＡＤ図面「Ａ．ＺＤＸ」の図面情報が図示されている。図３に示すように、２Ｄ−ＣＡＤの位置情報には、Ｘ座標、Ｙ座標、Ｚ座標、色、レイヤ及び種別などの項目が対応付けられたデータを採用できる。例えば、エアコン及び貯湯槽は、「空調」として同じレイヤにグループ化されていることを意味する。このうち、エアコンの形状の種別が矩形であり、貯湯槽の形状の種別が円柱であり、各々の設備で基準とする頂点、例えば重心の座標が（１０，３２，１３）、（３０，４４，２３）であることを意味する。また、３Ｄ−ＣＡＤの描画情報には、設備図形を形成する面１〜面ｎが対応付けられたデータを採用できる。これら面１〜面ｎは、各々の面のポリゴンを形成する頂点が持つ座標の集合によって表現される。
【００３１】
建物管理実行部１７は、上記の建物管理プログラムを実行する処理部である。一態様としては、建物管理実行部１７は、サーバ装置３０上に保存された設備台帳３２を用いて、設備の管理を始め、保守及び維持管理から建物で使用する電力や水などのエネルギー及びコストの管理まで建物を総合的に管理する。以下では、上記の建物の総合管理の一例として、設備管理、保守および維持管理を例に挙げ、設備台帳３２の作成支援方法、設備台帳３２とＣＡＤの図面情報３１の連携方法について説明する。
【００３２】
ここで、上記の設備台帳３２について説明を行う。かかる設備台帳３２は、設備管理に用いる所定の項目を含む台帳であり、一例として、設備情報３３、点検情報３４および連携情報３５が含まれる。
【００３３】
このうち、設備情報３３は、建物に設置された設備に関する属性情報を指す。かかる設備情報３３の一態様としては、設備ＩＤ（identifier）、設備名称、メーカ、設置年月日および管理者などの項目が対応付けられたデータを採用できる。図４は、設備情報３３の一例を示す図である。図４に示す設備ＩＤ「０００１」の例では、２０１２年１０月１０日に「Ｆ社」製のエアコンが設置されていることを意味する。また、図４に示す設備ＩＤ「０００２」の例では、２０１１年５月２９日に「Ｆ社」製の貯湯槽が設置されていることを意味する。また、図４に示す設備ＩＤ「０００３」の例では、２０１３年４月１０日に「Ｆ社」製のヒートポンプが設置されていることを意味する。さらに、エアコン、貯湯槽及びヒートポンプの保守及び維持管理の管理責任者は、いずれも「Ｕ１」であることを意味する。なお、設備情報３３のスキーマは、図４に例示した項目に限定されず、上記の例以外にも、設備をディレクトリ管理するための分類や製品の型番などの他の項目を含んでいてもかまわない。
【００３４】
また、点検情報３４は、点検の予実に関する情報を指す。かかる点検情報３４は、一例として、点検の計画内容を示す点検計画情報３４ａと、点検の実施内容を示す点検実績情報３４ｂとが含まれる。
【００３５】
点検計画情報３４ａの一態様としては、設備ＩＤ、点検名称および点検予定日などの項目が対応付けられたデータを採用できる。図５は、点検計画情報３４ａの一例を示す図である。図５に示す設備のうち設備ＩＤ「０００１」のエアコンには、２０１３年４月１日に定期点検が予定されていることを意味する。また、設備ＩＤ「０００２」の貯湯槽には、２０１３年４月２９日に自主点検がなされた後に緊急点検が２０１３年５月１０日に予定されていることを意味する。さらに、設備ＩＤ「０００３」のヒートポンプには、２０１３年４月１１日に定期点検が予定されていることを意味する。
【００３６】
点検実績情報３４ｂの一態様としては、設備ＩＤ、点検名称、点検日および点検内容などの項目が対応付けられたデータを採用できる。図６は、点検実績情報３４ｂの一例を示す図である。図６に示す設備のうち設備ＩＤ「０００１」のエアコンには、２０１３年４月１日に１か月に１度の定期点検が実施された実績があることを意味する。また、設備ＩＤ「０００２」の貯湯槽には、２０１３年４月２９日に不具合が発生した後に確認のために行われる自主点検が実施された実績があることを意味する。さらに、設備ＩＤ「０００３」のヒートポンプには、２０１３年４月１１日に２か月に１度の定期点検が実施された実績があることを意味する。
【００３７】
また、連携情報３５は、ＣＡＤシステムとの間の連携に用いる情報である。かかる連携は、建物の設計段階で製図されたＣＡＤ図面を設備管理、保守や維持管理に有効活用する観点から後述の登録部１７ｂによってサーバ装置３０へ登録される。かかる連携情報３５の一態様としては、ＣＡＤ図面に含まれる設備図形の位置情報及び描画情報と、建物管理プログラムで設備の識別に用いる設備識別情報とが対応付けられたデータを採用できる。図７は、連携情報３５の一例を示す図である。図７に示すように、図４に示した設備情報３３および図５と図６に示した点検情報３４で用いられる設備ＩＤと、図３に示した図面情報３１に含まれる設備図形に関する２Ｄ−ＣＡＤの位置情報及び３Ｄ−ＣＡＤの描画情報とが対応付けられる。かかる対応付けによって、設備ＩＤから設備図形の位置情報又は描画情報を特定したり、設備図形の位置情報又は描画情報から設備ＩＤを特定したりすることができる。このため、ＣＡＤシステム及び建物管理プログラムの２つのシステムの間で同一の設備を同定できる。
【００３８】
図２の説明に戻り、建物管理実行部１７は、取得部１７ａと、登録部１７ｂと、表示制御部１７ｃとを有する。
【００３９】
このうち、取得部１７ａは、ＣＡＤ図面上で当該ＣＡＤ図面に含まれる設備図形の選択操作がなされた場合に、ＣＡＤ実行部１６によって実行されるＣＡＤシステムによって登録された当該設備図形の設備名称、位置情報及び描画情報を取得する処理部である。なお、以下では、３Ｄ−ＣＡＤ図面上で設備図形の選択操作がなされた場合を想定して説明を行うが、２Ｄ−ＣＡＤ図面上で設備図形の選択操作がなされた場合にも同様の処理を実行することができる。
【００４０】
一態様としては、３Ｄ−ＣＡＤウィンドウ内で入力部１１を介する選択操作、例えばマウスの左ボタンへの押下操作がなされた場合に、当該選択操作の位置が設備図形上であるか否かがＣＡＤシステムによって判定される。このとき、選択操作の位置が設備図形上である場合には、サーバ装置３０上に保存された図面情報３１のうち当該設備図形に対応する設備名称、図面ファイル名、２Ｄ−ＣＡＤの位置情報及び３Ｄ−ＣＡＤの描画情報がＣＡＤ実行部１６によって読み出される。ここでは、２Ｄ−ＣＡＤの位置情報が読み出されるとともに、３Ｄ−ＣＡＤの描画情報が読み出される場合を例示するが、位置情報または描画情報のいずれかに絞って読み出させることとしてもかまわない。また、ここでは、設備図形を含むＣＡＤ図面のファイル名が読み出される場合を例示するが、図面情報に含まれる情報であれば他の任意の情報、例えば設備として採用される製品のメーカや型番を読み出すこととしてもよい。その後、入力部１１を介して選択操作がなされた設備図形に対応する設備名称、図面ファイル名、位置情報及び描画情報が記憶部１４の共有ワークエリア１４ａに展開される。このとき、建物管理実行部１７によって建物管理プログラムが実行中でない場合には、ＣＡＤシステムによって建物管理プログラムが起動される。その上で、取得部１７ａは、記憶部１４の共有ワークエリア１４ａに展開された設備名称、図面ファイル名、位置情報及び描画情報を読み出す。このように、取得部１７ａは、ＣＡＤシステムから共有ワークエリア１４ａを介して、ＣＡＤ図面上で選択操作がなされた設備図形に対応する設備名称、図面ファイル名、位置情報及び描画情報を取得する。
【００４１】
登録部１７ｂは、取得部１７ａによって取得された設備図形の設備名称と、位置情報又は属性情報とを設備台帳３２に登録する処理部である。なお、以下では、設備図形の設備名称、位置情報及び属性情報を設備台帳３２に登録する場合を例示するが、設備名称と、位置情報又は属性情報のいずれかの情報とを登録することとしてもかまわない。
【００４２】
一態様としては、登録部１７ｂは、選択操作がマウスの移動を伴うドラッグ操作であるか否かを判定する。このとき、登録部１７ｂは、選択操作がドラッグ操作である場合に、ドラッグ操作が終了するのを待機する。その後、登録部１７ｂは、ドラッグ操作が終了された場合に、当該ドラッグ操作が終了された位置、言い換えればドロップ操作がなされた位置が建物管理プログラムによって生成された設備台帳管理画面内であるか否かをさらに判定する。
【００４３】
ここで、ドロップ操作の位置が設備台帳管理画面内である場合には、ＣＡＤシステムによって登録された設備図形に関する情報の格納先として建物管理プログラムが指定された公算が高いと推定できる。この場合には、登録部１７ｂは、取得部１７ａによって取得された設備図形の設備名称、図面ファイル名、位置情報及び描画情報を設備台帳３２へ登録する。
【００４４】
このとき、登録部１７ｂは、新規登録を行う設備に設備ＩＤを採番する。その上で、登録部１７ｂは、取得部１７ａによって取得された設備図形の設備名称、図面ファイル名、位置情報及び描画情報のうち設備名称を設備ＩＤに対応付けて設備情報３３に新規登録する。また、登録部１７ｂは、取得部１７ａによって取得された設備図形の設備名称、図面ファイル名、位置情報及び描画情報のうち図面ファイル名、位置情報および描画情報を設備ＩＤに対応付けて連携情報３５に新規登録する。この際、必ずしも位置情報および描画情報の両方を登録せずともよく、いずれか一方に絞って登録させることとしてもよい。
【００４５】
表示制御部１７ｃは、ＣＡＤ実行部１６によって実行されるＣＡＤシステムとの間で連携して表示制御を実行する処理部である。ここで言う「連携」とは、一例として、ＣＡＤ図面上で選択操作がなされた設備図形に対応する設備台帳３２の情報を自動的に表示させたり、設備台帳３２の中から選択操作がなされた設備に対応する設備図形に関する情報を自動的に表示させたりする処理を指す。
【００４６】
一態様としては、表示制御部１７ｃは、３Ｄ−ＣＡＤ図面上で設備図形の選択操作がなされた場合に、当該選択操作がダブルクリック操作であるか否かを判定する。そして、表示制御部１７ｃは、選択操作がダブルクリック操作である場合に、取得部１７ａによって取得された設備図形の図面ファイル名と、位置情報または描画情報とを検索キーとし、連携情報３５から選択操作がなされた設備図形に対応する設備ＩＤを検索する。その上で、表示制御部１７ｃは、点検計画情報３４ａ及び点検実績情報３４ｂから、先の検索よって得られた設備ＩＤに対応する点検計画および点検実績を読み出す。続いて、表示制御部１７ｃは、点検計画情報３４ａ及び点検実績情報３４ｂから読み出した点検計画および点検実績を共有ワークエリア１４ａに展開する。このように共有ワークエリア１４ａが更新されると、共有ワークエリア１４ａに記憶された点検計画および点検実績がＣＡＤシステムによって表示部１２に表示される。例えば、ＣＡＤシステムは、３Ｄ−ＣＡＤウィンドウで選択操作がなされた設備図形に対応付けて点検計画および点検実績をポップアップ表示させることができる。
【００４７】
他の一態様としては、表示制御部１７ｃは、３Ｄ−ＣＡＤ図面上で設備図形の選択操作がなされた場合に、当該選択操作がトリプルクリック操作であるか否かを判定する。そして、表示制御部１７ｃは、選択操作がトリプルクリック操作である場合に、取得部１７ａによって取得された設備図形の図面ファイル名と、位置情報または描画情報とを検索キーとし、連携情報３５から選択操作がなされた設備図形に対応する設備ＩＤを検索する。その後、表示制御部１７ｃは、設備情報３３から先の検索によって得られた設備ＩＤに対応する設備の属性情報を読み出す。その上で、表示制御部１７ｃは、設備情報３３から読み出した設備の属性情報を表示部１２に表示させる。例えば、表示制御部１７ｃは、設備の属性情報を表示するウィンドウ、すなわち「設備台帳管理画面」を生成した上で表示部１２に表示させる。このとき、表示制御部１７ｃは、各設備ＩＤのレコードの概要属性情報、例えば属性情報のうち表示対象とする項目を設備名称などの特定の項目に絞った情報を一覧表示させるとともに、選択操作がなされた設備図形に対応する設備ＩＤのレコードの表示態様を他のレコードの表示態様を変えて表示させることができる。かかる表示態様の変更方法の一例としては、設備図形に対応する設備ＩＤのレコードを表示させる輝度を反転させることができる。また、表示制御部１７ｃは、３Ｄ−ＣＡＤ画面上で選択操作がなされた設備図形に対応する設備ＩＤの詳細属性情報、例えば設備名称以外にもメーカ、設置年月日や管理者等の項目が加わった情報を設備台帳画面に表示させることもできる。
【００４８】
更なる一態様としては、表示制御部１７ｃは、設備台帳管理画面上で設備の選択操作、例えばダブルクリック操作を受け付けた場合に、次のような処理を実行する。すなわち、表示制御部１７ｃは、設備情報３３に含まれる設備ＩＤのうち当該選択操作を受け付けた設備の設備ＩＤを検索キーとし、当該設備ＩＤに対応する図面ファイル名、位置情報および描画情報を連携情報３５から検索する。その上で、表示制御部１７ｃは、当該選択操作を受け付けた設備ＩＤに対応する図面ファイル名、位置情報および描画情報を共有ワークエリア１４ａに展開する。このとき、ＣＡＤ実行部１６によってＣＡＤシステムが実行中でない場合には、建物管理プログラムによってＣＡＤシステムが起動される。このように共有ワークエリア１４ａが更新されると、共有ワークエリア１４ａに記憶された図面ファイル名と位置情報または描画情報とを検索キーとし、図面情報３１から選択操作がなされた設備ＩＤに対応する設備図形がＣＡＤシステムによって特定される。その後、３Ｄ−ＣＡＤウィンドウに表示された設備図形のうち当該選択操作がなされた設備ＩＤに対応する設備図形の表示態様がＣＡＤシステムによって変更される。かかる表示態様の変更方法の一例としては、選択操作がなされた設備ＩＤに対応する設備図形を表示させる輝度を変更前よりも高くしたり、選択操作がなされる前には３Ｄ−ＣＡＤウィンドウで使用されていなかった色を使用させたり、あるいは点滅表示させたりする強調表示を採用できる。
【００４９】
このように、３Ｄ−ＣＡＤ図面上で設備図形がドラッグ＆ドロップされた場合には、設備台帳の作成支援を実行し、ダブルクリックされた場合には、点検情報のポップアップ表示を実行し、トリプルクリックされた場合には、設備台帳管理画面の呼び出し表示を実行できる。また、設備台帳管理画面上で設備がダブルクリックされた場合には、設備図形の強調表示を実行できる。なお、ここでは、設備台帳の作成支援、点検情報のポップアップ表示または設備台帳管理画面の呼び出し表示のいずれを実行するのかを選択操作が該当するマウス操作の種別によって区別する場合を例示したが、これに限定されない。例えば、ＣＡＤウィンドウ上に表示させたタブを介して設備台帳の作成支援、点検情報のポップアップ表示または設備台帳管理画面の呼び出し表示のいずれかのメニューを予め選択させることによってユーザの意思を判別することとしてもかまわない。
【００５０】
［設備台帳の作成支援の具体例］
次に、図８及び図９を用いて、本実施例に係る設備台帳の作成支援の具体例について説明する。図８は、表示部１２に表示される画面例を示す図である。図９は、設備台帳の作成支援方法の一例を説明する図である。図８及び図９には、貯湯槽を設備台帳３２へ登録する場合の支援方法が例示されている。
【００５１】
図８に示すように、表示部１２には、２Ｄ−ＣＡＤウィンドウ２１０ａ及び３Ｄ−ＣＡＤウィンドウ２１０ｂを含むＣＡＤウィンドウ２１０と、設備台帳管理画面２２０とが表示されている。なお、図８には、３Ｄ−ＣＡＤウィンドウ２１０ｂが２Ｄ−ＣＡＤウィンドウ２１０ａとは独立したウィンドウとして生成される場合が例示されているが、２Ｄ−ＣＡＤウィンドウ２１０ａ及び３Ｄ−ＣＡＤウィンドウ２１０ｂは１つのウィンドウとして生成することもできる。
【００５２】
このような表示の下、３Ｄ−ＣＡＤウィンドウ２１０ｂ上でマウスカーソルの位置が貯湯槽２００ｂにある位置Ｃ１でドラッグ操作が開始されたとする。この場合には、図９に示すように、ＣＡＤの図面情報３１から、３Ｄ−ＣＡＤウィンドウ２１０ｂでドラッグ操作がなされた貯湯槽２００ｂに対応する設備名称、図面ファイル名、２Ｄ−ＣＡＤの位置情報及び３Ｄ−ＣＡＤの描画情報がＣＡＤシステムによって共有ワークエリア１４ａに展開される。すなわち、設備名称として貯湯槽が取得されるとともに、図面ファイル名としてＡ．ＺＤＸが取得される。さらに、２Ｄ−ＣＡＤの位置情報として、Ｘ座標「３０」、Ｙ座標「４４」、Ｚ座標「２３」、色「２」、レイヤ「１」および種別「円柱」が取得される。さらに、３Ｄ−ＣＡＤの描画情報として、面１「ポリゴン座標１」、・・・、面ｎ「ポリゴン座標ｎ」が取得される。
【００５３】
その後、マウスカーソルの位置が位置Ｃ２を経由して設備台帳管理画面２２０内の位置Ｃ３まで遷移した後にドロップ操作がなされたとする。すると、共有ワークエリア１４ａに記憶された設備名称、図面ファイル名、２Ｄ−ＣＡＤの位置情報及び３Ｄ−ＣＡＤの描画情報が取得部１７ａによって取得される。その上で、設備台帳３２に新規登録する設備に対し、設備ＩＤ「０００２」が採番される。その後、設備図形の設備名称、図面ファイル名、位置情報及び描画情報のうち設備名称が設備ＩＤに対応付けて設備情報３３に新規登録される。また、設備図形の設備名称、図面ファイル名、位置情報及び描画情報のうち図面ファイル名、位置情報および描画情報が設備ＩＤに対応付けて連携情報３５に新規登録される。
【００５４】
このように、ユーザは、３Ｄ−ＣＡＤウィンドウ上で貯湯槽２００ｂを選択することによって貯湯槽に関する設備台帳３２の作成を支援することができる。このため、ユーザは、設計者のように、設計用の図面、例えば平面図や正面図といった図面の見方に熟練しておらずともよい。本例で言えば、例えば、２Ｄ−ＣＡＤウィンドウ２１０ａには、平面図が表示されているので、貯湯槽２００ａが円としてしか表示されない。ところが、３Ｄ−ＣＡＤウィンドウ２１０ｂには、あたかもユーザが現場に行って実際の貯湯槽を視認しているかのように、実際の形状、すなわち円柱状を持った貯湯槽２００ｂが表示される。よって、ユーザは、設備台帳３２へ登録する目標の設備図形である貯湯槽２００ｂを容易に見つけ出すことができる。さらに、２Ｄ−ＣＡＤウィンドウ２１０ａには、貯湯槽２００ａと重なる位置にはしごや配管などが表示されている。このため、２Ｄ−ＣＡＤウィンドウ２１０ａ上で選択操作を実行する場合には、貯湯槽２００ａを見つけ出せたとしても、貯湯槽２００ａと貯湯槽２００ａと重なるはしごや配管との間でいずれを選択するのかを指定する手間が生じる。ところが、３Ｄ−ＣＡＤウィンドウ２１０ｂでは、ビューの変更等によって貯湯槽２００ｂが他の設備図形と重ならないように表示させることができるので、設備台帳３２へ登録する目標の設備図形である貯湯槽２００ｂを容易に選択することもできる。
【００５５】
［点検情報のポップアップ表示の具体例］
次に、図１０及び図１１を用いて、本実施例に係る点検情報のポップアップ表示の具体例について説明する。図１０は、表示部１２に表示される画面例を示す図である。図１１は、点検情報３４のポップアップ表示方法の一例を説明する図である。図１０及び図１１には、貯湯槽の点検情報をポップアップ表示させる場合が例示されている。
【００５６】
図１０に示すように、表示部１２には、２Ｄ−ＣＡＤウィンドウ３１０ａ及び３Ｄ−ＣＡＤウィンドウ３１０ｂを含むＣＡＤウィンドウ３１０が表示されている。このような表示の下、３Ｄ−ＣＡＤウィンドウ３１０ｂ上でマウスカーソルが貯湯槽３００ｂの位置Ｃ４にある状態でダブルクリック操作がなされたとする。この場合には、図１１に示すように、ＣＡＤの図面情報３１から、３Ｄ−ＣＡＤウィンドウ３１０ｂでダブルクリックされた貯湯槽３００ｂに対応する設備名称、図面ファイル名、２Ｄ−ＣＡＤの位置情報及び３Ｄ−ＣＡＤの描画情報がＣＡＤシステムによって共有ワークエリア１４ａに展開される。すなわち、設備名称として貯湯槽が取得されるとともに、図面ファイル名としてＡ．ＺＤＸが取得される。さらに、２Ｄ−ＣＡＤの位置情報として、Ｘ座標「３０」、Ｙ座標「４４」、Ｚ座標「２３」、色「２」、レイヤ「１」および種別「円柱」が取得される。さらに、３Ｄ−ＣＡＤの描画情報として、面１「ポリゴン座標１」、・・・、面ｎ「ポリゴン座標ｎ」が取得される。
【００５７】
その後、共有ワークエリア１４ａに記憶された設備名称、図面ファイル名、２Ｄ−ＣＡＤの位置情報及び３Ｄ−ＣＡＤの描画情報が取得部１７ａによって取得される。その上で、連携情報３５から、取得部１７ａによって今回取得された図面ファイル名と２Ｄ−ＣＡＤの位置情報及び３Ｄ−ＣＡＤの描画情報との間で、同一の図面ファイル名と２Ｄ−ＣＡＤの位置情報及び３Ｄ−ＣＡＤの描画情報とを持つ設備ＩＤ「０００２」が検索される。そして、設備情報３３から設備名称「貯湯槽」が読み出されるとともに、点検計画情報３４ａ及び点検実績情報３４ｂから、先の検索よって得られた設備ＩＤ「０００２」に対応する点検計画および点検実績が読み出される。その後、点検計画情報３４ａ及び点検実績情報３４ｂから読み出された点検計画および点検実績が共有ワークエリア１４ａに展開される。
【００５８】
そして、共有ワークエリア１４ａが更新されると、共有ワークエリア１４ａに記憶された点検計画および点検実績がＣＡＤシステムによって表示部１２に表示される。例えば、図１０に示すように、ＣＡＤシステムは、貯湯槽３００ｂに関する点検計画および点検実績を含む点検画面４００をポップアップ表示させることができる。
【００５９】
このように、３Ｄ−ＣＡＤウィンドウ３１０ｂ上で選択操作がなされた設備図形に関する点検計画や点検実績を含む点検画面４００を３Ｄ−ＣＡＤウィンドウ３１０ｂに表示されている設備図形に対応付けてポップアップ表示させることができる。かかる点検画面４００のポップアップ表示を見たユーザは、あたかもユーザが現場に行って実際の貯湯槽を視認しているかのように、ＣＡＤシステムを閲覧および操作しながら、バックグラウンドで動作する建物管理プログラムから供給された貯湯槽の点検情報をＣＡＤウィンドウ上で確認することができる。例えば、貯湯槽３００ｂは、自主点検が２０１３年４月２９日に行われた際にも更なる不具合が発生しており、以後も更なる警戒を行う観点から、２０１３年５月１０日に緊急点検が策定されていることをユーザに注意喚起できる。したがって、現場に行く前に設備の点検内容を予習することができる。また、クライアント端末１０が携帯端末装置である場合には、現場で設備の問題点を注意喚起できる。なお、点検情報をポップアップ表示する場合にも、３Ｄ−ＣＡＤウィンドウ３１０ｂのビューの変更等によって貯湯槽３００ｂが他の設備図形と重ならないように表示させることができるので、点検情報を閲覧する目標の設備図形である貯湯槽３００ｂを容易に選択することができる。
【００６０】
［設備台帳管理画面の呼び出し表示の具体例］
次に、図１２及び図１３を用いて、本実施例に係る設備台帳管理画面の呼び出し表示の具体例について説明する。図１２は、表示部１２に表示される画面例を示す図である。図１３は、設備台帳管理画面の呼び出し表示方法の一例を説明する図である。図１２及び図１３には、３Ｄ−ＣＡＤ図面から貯湯槽に関する属性情報を表示する設備台帳管理画面を呼び出して表示させる場合が例示されている。
【００６１】
図１２に示すように、表示部１２には、２Ｄ−ＣＡＤウィンドウ５１０ａ及び３Ｄ−ＣＡＤウィンドウ５１０ｂを含むＣＡＤウィンドウ５１０が表示されている。このような表示の下、３Ｄ−ＣＡＤウィンドウ５１０ｂ上でマウスカーソルが貯湯槽５００ｂの位置Ｃ５にある状態でトリプルクリック操作がなされたとする。この場合には、図１３に示すように、ＣＡＤの図面情報３１から、３Ｄ−ＣＡＤウィンドウ５１０ｂでトリプルクリックされた貯湯槽５００ｂに対応する設備名称、図面ファイル名、２Ｄ−ＣＡＤの位置情報及び３Ｄ−ＣＡＤの描画情報がＣＡＤシステムによって共有ワークエリア１４ａに展開される。すなわち、設備名称として貯湯槽が取得されるとともに、図面ファイル名としてＡ．ＺＤＸが取得される。さらに、２Ｄ−ＣＡＤの位置情報として、Ｘ座標「３０」、Ｙ座標「４４」、Ｚ座標「２３」、色「２」、レイヤ「１」および種別「円柱」が取得される。さらに、３Ｄ−ＣＡＤの描画情報として、面１「ポリゴン座標１」、・・・、面ｎ「ポリゴン座標ｎ」が取得される。
【００６２】
その後、共有ワークエリア１４ａに記憶された設備名称、図面ファイル名、２Ｄ−ＣＡＤの位置情報及び３Ｄ−ＣＡＤの描画情報が取得部１７ａによって取得される。その上で、連携情報３５から、取得部１７ａによって今回取得された図面ファイル名と２Ｄ−ＣＡＤの位置情報及び３Ｄ−ＣＡＤの描画情報との間で、同一の図面ファイル名と２Ｄ−ＣＡＤの位置情報及び３Ｄ−ＣＡＤの描画情報とを持つ設備ＩＤ「０００２」が検索される。そして、設備情報３３から設備ＩＤ「０００２」に対応するレコードの情報が読み出される。
【００６３】
すると、設備台帳管理画面６００が生成された上で表示部１２に表示される。かかる設備台帳管理画面６００には、図１２に示すように、各設備ＩＤのレコードの概要属性情報が一覧表示される。図１２の例では、設備名称の他にも、第一分類〜第五分類までのカテゴリ情報が併せて概要属性情報として表示されている。かかる第一分類〜第五分類までのカテゴリ情報は、設備台帳に含まれる設備をディレクトリ管理するための情報であり、例えば、第一分類〜第五分類を指定することによって同一のカテゴリである設備同士をソートすることもできる。さらに、設備台帳管理画面６００に一覧表示される設備ＩＤの中でも、選択操作がなされた貯湯槽５００ｂに対応する設備ＩＤのレコード６１０の概要属性情報が反転表示されている。
【００６４】
このように、３Ｄ−ＣＡＤウィンドウ５１０ｂ上で選択操作がなされた設備図形に関する属性情報を設備台帳管理画面６００を呼び出して表示させることができる。これによって、ユーザにはＣＡＤシステムを操作させながらも、外部のアプリケーションプログラムである建物管理プログラムによる設備図形の属性情報の表示機能を自動的に呼び出させることができる。それゆえ、例えば、ユーザが設備の外観は把握しているものの、設備の正式名称を把握していない場合などに設備の正式な名称をユーザに知らしめることができる。なお、設備台帳管理画面６００を呼び出し表示する場合にも、３Ｄ−ＣＡＤウィンドウ５１０ｂのビューの変更等によって貯湯槽５００ｂを他の設備図形と重ならないように表示させることができるので、属性情報を閲覧する目標の設備図形である貯湯槽５００ｂを容易に選択することができる。
【００６５】
［設備図形の強調表示の具体例］
次に、図１４及び図１５を用いて、本実施例に係る設備図形の強調表示の具体例について説明する。図１４は、表示部１２に表示される画面例を示す図である。図１５は、設備図形の強調表示方法の一例を説明する図である。図１４及び図１５には、設備台帳管理画面上で指定された設備に対応する設備図形を３Ｄ−ＣＡＤウィンドウ上で強調表示させる場合が例示されている。
【００６６】
図１４に示すように、設備台帳管理画面７００に一覧表示された各設備ＩＤのレコードの概要属性情報のうちマウスカーソルが貯湯槽に対応する設備ＩＤ「０００２」のレコード７１０の位置Ｃ６にある状態でダブルクリック操作を受け付けたとする。この場合には、図１５に示すように、設備情報３３に含まれる設備ＩＤのうちダブルクリックされた設備の設備ＩＤ「０００２」を検索キーとし、当該設備ＩＤに対応する図面ファイル名、位置情報および描画情報が連携情報３５から検索される。その上で、連携情報３５から検索された図面ファイル名、位置情報および描画情報が共有ワークエリア１４ａに展開される。
【００６７】
そして、共有ワークエリア１４ａが更新されると、共有ワークエリア１４ａに記憶された図面ファイル名と位置情報または描画情報とを検索キーとし、図面情報３１から選択操作がなされた設備ＩＤ「０００２」に対応する貯湯槽の図面ファイル名、位置情報や描画情報がＣＡＤシステムによって特定される。その後、３Ｄ−ＣＡＤウィンドウ８１０ｂに表示された設備図形のうち貯湯槽８００ｂの表示態様がＣＡＤシステムによって変更される。例えば、図１４に示すように、貯湯槽８００ｂを表示させる輝度を変更前よりも高くしたり、貯湯槽８００ｂを表示させる輝度を貯湯槽８００ｂの周りに存在する設備図形が表示される輝度よりも高い輝度で表示させたり、あるいは貯湯槽８００ｂを点滅表示させたりする強調表示が実行される。
【００６８】
このように、設備台帳管理画面７００上で指定された設備に対応する設備図形を３Ｄ−ＣＡＤウィンドウ８１０ｂ上で強調表示させることができる。これによって、ユーザは、設備台帳管理画面７００に表示された各設備の一覧と、ＣＡＤウィンドウ８００上に表示された２次元または３次元の設備図形との間で互いを比較したり、同定したりといった作業を不要化できる。
【００６９】
［処理の流れ］
次に、本実施例に係るクライアント端末１０の処理の流れについて説明する。図１６〜図１８は、実施例１に係る設備台帳作成支援処理の手順を示すフローチャートである。この処理は、ＣＡＤシステムまたは建物管理プログラムの少なく一方が実行中である状況で入力部１１を介する選択操作がなされた場合に処理が起動する。なお、入力部１１及び表示部１２がタッチパネルとして形成されている場合には、ユーザの生体の一部を用いた選択操作がなされた場合に処理が起動する。
【００７０】
図１６に示すように、入力部１１を介する選択操作を受け付けると（ステップＳ１０１）、ステップＳ１０１で受け付けた選択操作の位置が３Ｄ−ＣＡＤウィンドウ内である場合（ステップＳ１０２Ｙｅｓ）に、ＣＡＤ実行部１６によって次のような判定が実行される。すなわち、ＣＡＤ実行部１６は、ステップＳ１０１で受け付けた選択操作の位置が設備図形上であるか否かを判定する（ステップＳ１０３）。
【００７１】
このとき、選択操作の位置が設備図形上である場合（ステップＳ１０３Ｙｅｓ）には、ＣＡＤ実行部１６は、サーバ装置３０上に保存された図面情報３１のうち当該設備図形に対応する設備名称、図面ファイル名、２Ｄ−ＣＡＤの位置情報及び３Ｄ−ＣＡＤの描画情報を読み出す（ステップＳ１０４）。なお、選択操作の位置が設備図形上でない場合（ステップＳ１０３Ｎｏ）には、選択操作の位置に対応する処理がＣＡＤシステムによって行われた後に処理を終了する。
【００７２】
そして、ＣＡＤ実行部１６は、ステップＳ１０１で選択操作がなされた設備図形に対応する設備名称、図面ファイル名、位置情報及び描画情報を記憶部１４の共有ワークエリア１４ａに展開する（ステップＳ１０５）。このとき、建物管理実行部１７によって建物管理プログラムが実行中でない場合（ステップＳ１０６Ｎｏ）には、ＣＡＤシステムによって建物管理プログラムが外部プログラムとして起動される（ステップＳ１０７）。なお、建物管理プログラムが実行中である場合（ステップＳ１０６Ｙｅｓ）には、ステップＳ１０７の処理を実行せずにステップＳ１０８の処理へ移行する。
【００７３】
続いて、建物管理実行部１７の取得部１７ａは、記憶部１４の共有ワークエリア１４ａに展開された設備名称、図面ファイル名、位置情報及び描画情報を読み出す（ステップＳ１０８）。
【００７４】
そして、建物管理実行部１７の登録部１７ｂは、ステップＳ１０１で受け付けた選択操作がマウスの移動を伴うドラッグ操作であるか否かを判定する（ステップＳ１０９）。このとき、選択操作がドラッグ操作である場合（ステップＳ１０９Ｙｅｓ）には、登録部１７ｂは、ドラッグ操作に対応するドロップ操作がなされるのを待機する（ステップＳ１１０）。
【００７５】
その後、登録部１７ｂは、ドロップ操作がなされた場合に、当該ドロップ操作がなされた位置が建物管理プログラムによって生成された設備台帳管理画面内であるか否かをさらに判定する（ステップＳ１１１）。
【００７６】
ここで、ドロップ操作の位置が設備台帳管理画面内である場合（ステップＳ１１１Ｙｅｓ）には、ＣＡＤシステムによって登録された設備図形に関する情報の格納先として建物管理プログラムが指定された公算が高いと推定できる。この場合には、登録部１７ｂは、取得部１７ａによって取得された設備図形の設備名称、図面ファイル名、位置情報及び描画情報を設備台帳３２へ登録する。
【００７７】
すなわち、登録部１７ｂは、新規登録を行う設備に設備ＩＤを採番する（ステップＳ１１２）。その上で、登録部１７ｂは、ステップＳ１０８で取得された設備図形の設備名称を設備ＩＤに対応付けて設備情報３３に新規登録する（ステップＳ１１３）。さらに、登録部１７ｂは、ステップＳ１０８で取得された設備図形の図面ファイル名、位置情報および描画情報を設備ＩＤに対応付けて連携情報３５に新規登録し（ステップＳ１１４）、処理を終了する。
【００７８】
一方、設備図形上でなされた選択操作がドラッグ操作でない場合（ステップＳ１０９Ｎｏ）には、表示制御部１７ｃは、ステップＳ１０１で受け付けた選択操作がダブルクリック操作であるか否かを判定する（ステップＳ１１５）。
【００７９】
そして、選択操作がダブルクリック操作である場合（ステップＳ１１５Ｙｅｓ）には、表示制御部１７ｃは、次のような処理を実行する。すなわち、表示制御部１７ｃは、ステップＳ１０８で取得された設備図形の図面ファイル名と、位置情報または描画情報とを検索キーとし、連携情報３５から選択操作がなされた設備図形に対応する設備ＩＤを検索する（ステップＳ１１６）。
【００８０】
その上で、表示制御部１７ｃは、点検計画情報３４ａ及び点検実績情報３４ｂから、ステップＳ１１６で検索された設備ＩＤに対応する点検計画および点検実績を読み出す（ステップＳ１１７）。続いて、表示制御部１７ｃは、ステップＳ１１７で読み出した点検計画および点検実績を共有ワークエリア１４ａに展開する（ステップＳ１１８）。このとき、表示制御部１７ｃは、共有ワークエリア１４ａに展開した点検情報の表示指示をＣＡＤ実行部１６に行うことができる。
【００８１】
このように共有ワークエリア１４ａが更新されると、ＣＡＤ実行部１６は、共有ワークエリア１４ａに記憶された点検計画および点検実績を３Ｄ−ＣＡＤウィンドウで選択操作がなされた設備図形に対応付けてポップアップ表示させ（ステップＳ１１９）、処理を終了する。
【００８２】
また、設備図形上でなされた選択操作がダブルクリックでもない場合（ステップＳ１１５Ｎｏ）には、表示制御部１７ｃは、ステップＳ１０１で受け付けた選択操作がトリプルクリック操作であるか否かをさらに判定する（ステップＳ１２０）。
【００８３】
そして、選択操作がトリプルクリック操作である場合（ステップＳ１２０Ｙｅｓ）には、表示制御部１７ｃは、ステップＳ１０８で取得された設備図形の図面ファイル名と、位置情報または描画情報とを検索キーとし、連携情報３５から選択操作がなされた設備図形に対応する設備ＩＤを検索する（ステップＳ１２１）。
【００８４】
その後、表示制御部１７ｃは、設備情報３３からステップＳ１２１で検索された設備ＩＤに対応する設備の属性情報を読み出す（ステップＳ１２２）。このとき、設備台帳管理画面が表示中でなければ（ステップＳ１２３Ｎｏ）、表示制御部１７ｃは、設備台帳管理画面を生成する（ステップＳ１２４）。なお、設備台帳管理画面が表示中である場合（ステップＳ１２３Ｙｅｓ）には、ステップＳ１２４の処理を実行せずにステップＳ１２５の処理へ移行する。
【００８５】
そして、表示制御部１７ｃは、ステップＳ１２２で読み出した設備の属性情報を表示部１２に表示させ（ステップＳ１２５）、処理を終了する。例えば、表示制御部１７ｃは、各設備ＩＤのレコードの概要属性情報、例えば属性情報のうち表示対象とする項目を設備名称などの特定の項目に絞った情報を設備台帳管理画面に一覧表示させるとともに、選択操作がなされた設備図形に対応する設備ＩＤのレコードの表示態様を他のレコードの表示態様を変えて表示させることができる。
【００８６】
また、ステップＳ１０１で受け付けた選択操作の位置が３Ｄウィンドウ内でない場合（ステップＳ１０２Ｎｏ）には、表示制御部１７ｃは、選択操作の位置が設備台帳管理画面内であるか否かを判定する（ステップＳ１２６）。
【００８７】
このとき、選択操作の位置が設備台帳管理画面内である場合（ステップＳ１２６Ｙｅｓ）には、表示制御部１７ｃは、設備情報３３に含まれる設備ＩＤのうち当該選択操作を受け付けた設備の設備ＩＤを検索キーとし、当該設備ＩＤに対応する図面ファイル名、位置情報および描画情報を連携情報３５から検索する（ステップＳ１２７）。
【００８８】
その上で、表示制御部１７ｃは、ステップＳ１２７で検索された図面ファイル名、位置情報および描画情報を共有ワークエリア１４ａに展開する（ステップＳ１２８）。このとき、ＣＡＤ実行部１６によってＣＡＤシステムが実行中でない場合（ステップＳ１２９Ｎｏ）には、建物管理プログラムによってＣＡＤシステムが起動される（ステップＳ１３０）。
【００８９】
このように共有ワークエリア１４ａが更新されると、ＣＡＤ実行部１６は、共有ワークエリア１４ａに記憶された図面ファイル名と位置情報または描画情報とを検索キーとし、図面情報３１から選択操作がなされた設備ＩＤに対応する設備図形を特定する（ステップＳ１３１）。
【００９０】
その後、ＣＡＤ実行部１６は、３Ｄ−ＣＡＤウィンドウに表示された設備図形のうち当該選択操作がなされた設備ＩＤに対応する設備図形の表示態様を強調表示し（ステップＳ１３２）、処理を終了する。
【００９１】
［実施例１の効果］
上述してきたように、本実施例に係るクライアント端末１０は、３Ｄ−ＣＡＤ図面上で設備図形の選択操作がなされた場合に、ＣＡＤシステムによって登録された設備図形に関する設備名称と、位置情報又は描画情報とを設備台帳３２へ登録する。このように、本実施例に係るクライアント端末１０では、３Ｄ−ＣＡＤ図面上で設備図形の選択操作を実行させることができる。このため、ユーザは、設計者のように、設計用の図面、例えば平面図や正面図といった図面の見方に熟練しておらずとも、あたかも現場で実際の設備を選択する感覚で目的の設備を探すことができる。それゆえ、ユーザは、設備台帳３２へ登録する目標の設備図形を容易に見つけ出すとともに容易に選択することもできる。したがって、本実施例によれば、設備台帳の作成作業を簡素化できる。
【実施例２】
【００９２】
さて、これまで開示の装置に関する実施例について説明したが、本発明は上述した実施例以外にも、種々の異なる形態にて実施されてよいものである。そこで、以下では、本発明に含まれる他の実施例を説明する。
【００９３】
［選択範囲］
上記の実施例１では、設備台帳の作成支援、点検情報のポップアップ表示、設備台帳管理画面の呼び出し表示または設備図形の強調表示を行う場合に、１つの設備図形または設備を選択させる場合を例示したが、１度に複数の設備図形または設備を選択させることもできる。例えば、ドラッグ＆ドロップ、Ｓｈｉｆｔキー＋左クリック、あるいはＣｔｒｌキー＋左クリック等で複数の設備図形または設備を選択することができる。この場合には、選択操作がなされた設備図形または設備ごとに処理を実行することとすればよい。
【００９４】
［選択操作の種類］
上記の実施例１では、点検情報のポップアップ表示を実行する場合には、マウスカーソルが設備図形上にある状態でダブルクリックさせ、設備台帳管理画面の呼び出し表示を実行する場合には、マウスカーソルが設備図形上にある状態でダブルクリックさせる場合を例示したが、各々の機能の指定方法は上記の操作に限定されない。例えば、建物管理プログラム側で設備台帳の作成支援、点検情報のポップアップ表示または設備台帳管理画面の呼び出し表示のいずれの機能を実行するかを区別させる場合に、クリック回数以外にも、マウスジェスチャ、Ｃｔｒｌキーやファンクションキーとの組合せによってユーザがいずれの機能を実行する意思があるのかを区別することとしてもかまわない。一例としては、点検情報のポップアップ表示を実行する場合には、ドラッグ操作または右クリック操作がなされた状態でマウスカーソルを右方向に移動させるジェスチャを実行させ、設備台帳管理画面の呼び出し表示を実行する場合には、ドラッグ操作または右クリック操作がなされた状態でマウスカーソルを左方向に移動させるジェスチャを実行させることとしてもよい。
【００９５】
［分散および統合］
また、図示した各装置の各構成要素は、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。例えば、ＣＡＤ実行部１６および建物管理実行部１７をクライアント端末１０の外部装置としてネットワーク経由で接続するようにしてもよい。また、ＣＡＤ実行部１６および建物管理実行部１７を別の装置がそれぞれ有し、ネットワーク接続されて協働することで、上記のクライアント端末１０の機能を実現するようにしてもよい。
【００９６】
［設備台帳作成支援プログラム］
また、上記の実施例で説明した各種の処理は、予め用意されたプログラムをパーソナルコンピュータやワークステーションなどのコンピュータで実行することによって実現することができる。そこで、以下では、図１９を用いて、上記の実施例と同様の機能を有する設備台帳作成支援プログラムを実行するコンピュータの一例について説明する。
【００９７】
図１９は、実施例１及び実施例２に係る設備台帳作成支援プログラムを実行するコンピュータの一例について説明するための図である。図１９に示すように、コンピュータ１００は、操作部１１０ａと、スピーカ１１０ｂと、カメラ１１０ｃと、ディスプレイ１２０と、通信部１３０とを有する。さらに、このコンピュータ１００は、ＣＰＵ１５０と、ＲＯＭ１６０と、ＨＤＤ１７０と、ＲＡＭ１８０とを有する。これら１１０〜１８０の各部はバス１４０を介して接続される。
【００９８】
ＨＤＤ１７０には、図１９に示すように、上記の実施例１で示した取得部１７ａ、登録部１７ｂ及び表示制御部１７ｃと同様の機能を発揮する設備台帳作成支援プログラム１７０ａが予め記憶される。この設備台帳作成支援プログラム１７０ａについては、図２に示した各々の取得部１７ａ、登録部１７ｂ及び表示制御部１７ｃの各構成要素と同様、適宜統合又は分離しても良い。すなわち、ＨＤＤ１７０に格納される各データは、常に全てのデータがＨＤＤ１７０に格納される必要はなく、処理に必要なデータのみがＨＤＤ１７０に格納されれば良い。
【００９９】
そして、ＣＰＵ１５０が、設備台帳作成支援プログラム１７０ａをＨＤＤ１７０から読み出してＲＡＭ１８０に展開する。これによって、図１９に示すように、設備台帳作成支援プログラム１７０ａは、設備台帳作成支援プロセス１８０ａとして機能する。この設備台帳作成支援プロセス１８０ａは、ＨＤＤ１７０から読み出した各種データを適宜ＲＡＭ１８０上の自身に割り当てられた領域に展開し、この展開した各種データに基づいて各種処理を実行する。なお、設備台帳作成支援プロセス１８０ａは、図２に示した取得部１７ａ、登録部１７ｂ及び表示制御部１７ｃにて実行される処理、例えば図１６〜図１８に示す処理を含む。また、ＣＰＵ１５０上で仮想的に実現される各処理部は、常に全ての処理部がＣＰＵ１５０上で動作する必要はなく、処理に必要な処理部のみが仮想的に実現されれば良い。
【０１００】
なお、上記の設備台帳作成支援プログラム１７０ａについては、必ずしも最初からＨＤＤ１７０やＲＯＭ１６０に記憶させておく必要はない。例えば、コンピュータ１００に挿入されるフレキシブルディスク、いわゆるＦＤ、ＣＤ−ＲＯＭ、ＤＶＤディスク、光磁気ディスク、ＩＣカードなどの「可搬用の物理媒体」に各プログラムを記憶させる。そして、コンピュータ１００がこれらの可搬用の物理媒体から各プログラムを取得して実行するようにしてもよい。また、公衆回線、インターネット、ＬＡＮ、ＷＡＮなどを介してコンピュータ１００に接続される他のコンピュータまたはサーバ装置などに各プログラムを記憶させておき、コンピュータ１００がこれらから各プログラムを取得して実行するようにしてもよい。
【符号の説明】
【０１０１】
１    建物管理システム
５    ネットワーク
１０Ａ，１０Ｂ，１０Ｃ    クライアント端末
１１    入力部
１２    表示部
１３    通信Ｉ／Ｆ部
１４    記憶部
１４ａ  共有ワークエリア
１５    制御部
１６    ＣＡＤ実行部
１７    建物管理実行部
１７ａ  取得部
１７ｂ  登録部
１７ｃ  表示制御部
３０    サーバ装置
【図１】
2015032070.tif 000003
【図２】
2015032070.tif 000004
【図３】
2015032070.tif 000005
【図４】
2015032070.tif 000006
【図５】
2015032070.tif 000007
【図６】
2015032070.tif 000008
【図７】
2015032070.tif 000009
【図８】
2015032070.tif 000010
【図９】
2015032070.tif 000011
【図１０】
2015032070.tif 000012
【図１１】
2015032070.tif 000013
【図１２】
2015032070.tif 000014
【図１３】
2015032070.tif 000015
【図１４】
2015032070.tif 000016
【図１５】
2015032070.tif 000017
【図１６】
2015032070.tif 000018
【図１７】
2015032070.tif 000019
【図１８】
2015032070.tif 000020
【図１９】
2015032070.tif 000021